(57)【要約】【課題】積算流量が目標流量に到達したことを確認する。【解決手段】流路を流通するガスの流量を計測する計測ユニット３のフローセンサ１２と、フローセンサ１２によって計測された流量に基づいて積算流量を算出する流量算出部３１１と、操作部４ｂから入力される積算流量の目標値をＲＡＭ３４に設定する目標値設定部３１２と、操作部４ｂから減算処理の開始指示が入力されたときに、設定目標値から流量算出部３１１によって算出されている積算流量を減算していく減算処理を実行する減算部３１３と、減算部３１３によって実行されている減算処理の結果をリアルタイムに表示部４ａのディスプレイ４１に表示させるとともに、積算流量が目標値に到達した場合に目標流量達成情報を外部機器に送信する表示・送信制御部３１４と、を備える。【選択図】図７
2009115809.tif 000002
【特許請求の範囲】
【請求項１】
流路を流通する流体の流量を計測する計測ユニットと、
前記計測ユニットによって計測された流量に基づいて積算流量を算出する算出部と、
前記積算流量の目標値を設定する目標値設定部と、
前記目標値設定部により設定された前記目標値から前記算出部によって算出されている前記積算流量を減算していく減算処理を実行する減算部と、
前記減算部によって実行されている前記減算処理の結果を表示部に表示させる表示制御部と、
を備えることを特徴とする流量計測装置。
【請求項２】
前記目標値は、前記計測ユニットに設けられた操作部から入力されることを特徴とする請求項１記載の流量計測装置。
【請求項３】
前記減算部は、前記操作部から減算処理の開始指示が入力されたときに、前記減算処理の実行を開始することを特徴とする請求項２記載の流量計測装置。
【請求項４】
外部機器との通信を制御する通信部をさらに備え、
前記減算処理の結果、前記積算流量が前記目標値に到達した場合に、前記積算流量が前記目標値に到達したことを示す目標流量達成情報を、前記通信部を介して外部機器に送信する送信制御部をさらに備えることを特徴とする請求項１〜３のいずれか１項に記載の流量計測装置。
【請求項５】
外部機器との通信を制御する通信部をさらに備え、
前記目標値は、前記通信部を介して外部機器から受信することを特徴とする請求項１記載の流量計測装置。
【請求項６】
前記減算処理の結果、前記積算流量が前記目標値に到達した場合に、前記積算流量が前記目標値に到達したことを示す目標流量達成情報を、光および／または音響によって外部に通知する通知部をさらに備えることを特徴とする請求項１〜３のいずれか１項に記載の流量計測装置。
【発明の詳細な説明】
【技術分野】
【０００１】
本発明は、計測技術に関し、例えば流量計測装置に関する。
【背景技術】
【０００２】
下記の特許文献１には、配管等の流路を流れるガスの圧力や流量等を測定する流量計が開示されている。この流量計では、配管を流れるガスの流量を検出し、この検出した流量を積算して求めた積算流量を表示部に表示している。
【特許文献１】特開２００２−２２８５０６号公報
【発明の開示】
【発明が解決しようとする課題】
【０００３】
ところで、上述した特許文献１では、積算流量を表示させることはできるが、積算流量が目標流量に到達するまでに必要となる残りの流量を確認することができない。
【０００４】
本発明は、上述した従来技術による問題点を解消するためになされたものであり、積算流量が目標流量に到達したことを確認することができる流量計測装置を提供することを目的とする。
【課題を解決するための手段】
【０００５】
本発明に係る流量計測装置は、流路を流通する流体の流量を計測する計測ユニットと、前記計測ユニットによって計測された流量に基づいて積算流量を算出する算出部と、前記積算流量の目標値を設定する目標値設定部と、前記目標値設定部により設定された前記目標値から前記算出部によって算出されている前記積算流量を減算していく減算処理を実行する減算部と、前記減算部によって実行されている前記減算処理の結果を表示部に表示させる表示制御部と、を備える。
【０００６】
かかる構成を採用することで、目標値設定部により積算流量の目標値を設定させることができ、減算部により上記目標値から現時点における積算流量を減算していく減算処理を実行させることができ、表示制御部により減算処理の結果である設定目標値に対する残りの流量をリアルタイムで表示部に表示させることができる。
【０００７】
上記流量計測装置において、上記目標値は前記計測ユニットに設けられた操作部から入力させることができる。
【０００８】
これにより、使用者が流量計測装置から直接目標値を入力することができる。
【０００９】
上記流量計測装置において、上記減算部は、前記操作部から減算処理の開始指示が入力されたときに、前記減算処理の実行を開始することができる。
【００１０】
これにより、使用者により入力された開始指示を合図にして減算処理を開始させることが可能となる。
【００１１】
上記流量計測装置において、上記外部機器との通信を制御する通信部をさらに備え、上記減算処理の結果、前記積算流量が前記目標値に到達した場合に、前記積算流量が前記目標値に到達したことを示す目標流量達成情報を、前記通信部を介して外部機器に送信する送信制御部をさらに備えることができる。
【００１２】
これにより、目標流量に到達したことを外部機器に通知することができるため、例えば、目標流量に到達したことを契機にして開始される他の工程を実行させることが可能となる。
【００１３】
上記流量計測装置において、上記外部機器との通信を制御する通信部をさらに備え、前記目標値は前記通信部を介して外部機器から受信させることができる。
【００１４】
これにより、流量計測装置から離れた場所にいるシステム管理者に積算流量の目標値を入力させることが可能となる。
【００１５】
上記流量計測装置において、上記減算処理の結果、前記積算流量が前記目標値に到達した場合に、前記積算流量が前記目標値に到達したことを示す目標流量達成情報を、光および／または音響によって外部に通知する通知部をさらに備えることができる。
【００１６】
これにより、流量計測装置の設置現場において、積算流量が目標値に到達したことを使用者が容易に認識することが可能となる。
【発明の効果】
【００１７】
本発明によれば、積算流量が目標流量に到達したことを確認することができる。
【発明を実施するための最良の形態】
【００１８】
以下、図面を参照して本発明の実施の形態を説明する。ただし、以下に説明する実施形態は、あくまでも例示であり、以下に明示しない種々の変形や技術の適用を排除する意図はない。すなわち、本発明は、その趣旨を逸脱しない範囲で種々変形して実施することができる。また、以下の図面の記載において、同一又は類似の部分には同一又は類似の符号を付している。ただし、図面は模式的なものであるため、具体的な寸法等は以下の説明を照らし合わせて判断するべきものである。また、図面相互間においても互いの寸法の関係や比率が異なる部分が含まれていることは勿論である。
【００１９】
図１〜図４に、本実施形態における流量計（流量計測装置）の構成例を示す。本実施形態の流量計１は、ガスおよび液体等の流体が流通する配管等の流路の一部に取り付けられ、計測対象の流体の一例であるガスの瞬時流量を検出する。また、流量計１は、検出した瞬時流量を積算してガスの使用量（積算流量）を算出する。
【００２０】
流量計１は、ガスが流通する配管Ｐの一部に取り付けられて流路を形成する流路ユニット２と、流路ユニット２に取り付けられる計測ユニット３と、を備えている。計測ユニット３は、フローセンサ１２や、図７に示す制御部３０等を有する。
【００２１】
流路ユニット２は、例えば図１〜図４に示すように、略直方体形状を呈する筐体であり、ガスが流通する断面円形の管路７、管路７の途中に形成された絞り機構８、管路７の上側（計測ユニット３が取り付けられる側）であって絞り機構８を挟んで上流側および下流側の位置に形成され管路７と外部とを連通させる分岐流路９、１０等を有している。管路７の上流側および下流側には、配管Ｐが捩じ込み接続される。絞り機構８は、管路７の内径よりも小さい内径を有しており、上流側の配管Ｐから下流側の配管Ｐへと流通するガスに絞り機構８の前後で差圧を発生させるように機能する。
【００２２】
流路ユニット２の上面には、例えば図２および図４に示すように、平面視略円形状で所定深さの凹部２ａが形成されており、この凹部２ａには、計測ユニット３のバイパス流路形成部３ｂ（後述）が嵌め込まれる。絞り機構８よりも上流側に配置された分岐流路９は、ボディ内部側の小径部とボディ外部側の大径部とを備えており、計測ユニット３のバイパス流路形成部３ｂのバイパス流路３ｃ（後述）に連通接続される。絞り機構８よりも下流側に配置された分岐流路１０も同様にボディ内部側の小径部とボディ外部側の大径部とを備えており、バイパス流路３ｃに連通接続される。
【００２３】
計測ユニット３は、例えば図１〜図４に示すように、略直方体形状を呈する筐体を有しており、この筐体の側面には、給電用および各種信号送受信用のケーブルＣを接続させるためのケーブル接続部５が設けられている。また、計測ユニット３を構成する筐体の下側（流路ユニット２が取り付けられる側）には、板状部３ａが固定されている。図２に示すように、計測ユニット３の板状部３ａと、流路ユニット２に形成され相互に重ねられたネジ孔と、にネジ６が螺入されることにより、計測ユニット３が流路ユニット２に固定される。
【００２４】
計測ユニット３の板状部３ａと流路ユニット２との間には、図４に示すように、バイパス流路形成部３ｂが配置される。バイパス流路形成部３ｂは、流路ユニット２の凹部２ａに嵌め込まれるような平面視略円形状の薄型の部材であり、その下面には、流路ユニット２の分岐流路９、１０に連通接続されるバイパス流路３ｃが形成されている。流路ユニット２の上流側の管路７を流通するガスは、絞り機構８の前後の差圧によりその一部が上流側の分岐流路９を経由して計測ユニット３のバイパス流路３ｃに導かれて流入し、その後、流路ユニット２の下流側の分岐流路１０を経由して下流側の管路７にバイパス（合流）されるようになっている。主流路である管路７に流れる流量とバイパス流路３ｃに流れる流量との比率（分流比）は、計算あるいは実測によって予め特定しておく必要がある。なお、流路ユニット２の凹部２ａ内であってバイパス流路形成部３ｂの周囲には、例えば図２および図４に示すようなパッキン１１が嵌め込まれ、このパッキン１１により、計測ユニット３の板状部３ａと流路ユニット２の凹部２ａとが形成する空間の気密性を確保できる。
【００２５】
計測ユニット３の底面に固定された板状部３ａの中央部には、図４に示すように、フローセンサ１２が設けられている。フローセンサ１２は、バイパス流路３ｃを流通するガスの瞬時流量を検出する。フローセンサ１２としては、種々の構成を採用することができ、本実施形態においては、例示的に、ダイヤフラムを有する熱式流量センサを採用している。
【００２６】
フローセンサ１２は、例えば図５および図６に示すように、キャビティ２６が設けられた基板２０、基板２０上にキャビティ２６を覆うように配置された絶縁膜２５、絶縁膜２５に設けられたヒータ２１、ヒータ２１よりも上流側に設けられた上流側測温抵抗素子２２、ヒータ２１よりも下流側に設けられた下流側測温抵抗素子２３、上流側測温抵抗素子２２よりも上流側に設けられた周囲温度センサ２４等を有している。
【００２７】
絶縁膜２５のキャビティ２６を覆う部分は、熱容量が小さく、基板２０に対して断熱性を有するダイヤフラムを構成している。周囲温度センサ２４は、バイパス流路３ｃに流入してきた流体の温度を測定する。ヒータ２１は、キャビティ２６を覆う絶縁膜２５の中心に配置されており、周囲温度センサ２４が計測した流体の温度よりも一定温度（例えば１０℃）高くなるように、加熱される。上流側測温抵抗素子２２はヒータ２１より上流側の温度を検出するために用いられ、下流側測温抵抗素子２３はヒータ２１より下流側の温度を検出するために用いられる。
【００２８】
ここで、バイパス流路３ｃ中の流体が静止している場合、ヒータ２１で加えられた熱は、上流方向および下流方向へ対称的に拡散する。従って、上流側測温抵抗素子２２および下流側測温抵抗素子２３の温度は等しくなり、上流側測温抵抗素子２２および下流側測温抵抗素子２３の電気抵抗は等しくなる。これに対し、バイパス流路３ｃ中の流体が上流から下流に流れている場合、ヒータ２１で加えられた熱は、下流方向に運ばれる。従って、上流側測温抵抗素子２２の温度よりも、下流側測温抵抗素子２３の温度が高くなる。
【００２９】
そのため、上流側測温抵抗素子２２の電気抵抗と下流側測温抵抗素子２３の電気抵抗との間に差が生じる。下流側測温抵抗素子２３の電気抵抗と上流側測温抵抗素子２２の電気抵抗の差は、バイパス流路３ｃ中の流体の速度や流量と相関関係がある。そのため、下流側測温抵抗素子２３の電気抵抗と上流側測温抵抗素子２２の電気抵抗の差を基に、バイパス流路３ｃを流れる流体の速度や流量を算出できる。
【００３０】
図５および図６に示す基板２０の材料としては、シリコン(Ｓｉ)等が使用可能である。絶縁膜２５の材料としては、酸化ケイ素(ＳｉＯ2)等が使用可能である。キャビティ２６は、異方性エッチング等により形成することができる。また、ヒータ２１、上流側測温抵抗素子２２、下流側測温抵抗素子２３および周囲温度センサ２４の各材料には白金（Ｐｔ）等が使用可能であり、リソグラフィ法等により形成可能である。
【００３１】
図１〜図４に示す計測ユニット３の筐体の上側（流路ユニット２と反対側）には、表示操作パネル４が設けられている。表示操作パネル４には、表示部４ａと操作部４ｂとが設けられている。表示部４ａへの表示制御は、図７に示す制御部３０のＣＰＵ３１の制御の下に行なわれる。ＣＰＵ３１は、操作部４ｂに対するユーザの操作に応じた入力信号を受信し、当該入力信号に応じて表示部４ａに対する表示制御を行なう。なお、ＣＰＵ３１による表示制御の詳細は後述する。
【００３２】
表示部４ａは、例えば図７に示すように、各種情報を最大５桁の数字または英字で表示するデジタル表示部（７セグメントディスプレイ。以下、単に「ディスプレイ」ともいう。）４１と、操作部４ｂの操作により設定されたモードを示すモード表示灯としての積算流量モード表示灯４２および瞬時流量モード表示灯４３と、を有する。
【００３３】
瞬時流量モード表示灯４３が点灯している場合には、７セグメントディスプレイ４１に表示されている情報が瞬時流量［L/min］であることを示し、積算流量モード表示灯４２が点灯している場合には、７セグメントディスプレイ４１に表示されている情報が積算流量［L］であることを示す。
【００３４】
なお、積算流量モード表示灯４２や瞬時流量モード表示灯４３の表示部４ａにおける配置位置は任意である。図７に示すようにディスプレイ４１の横に配置してもよいし、ディスプレイ４１の下または上に配置してもよい。
【００３５】
ディスプレイ４１は、図７に示す制御部３０のＣＰＵ（中央演算処理装置）３１の制御の下、ガスの瞬時流量や積算流量を表示するほか、目標流量に対する残りの流量（後述）を表示する。
【００３６】
操作部４ｂには、各種の設定や各種情報を表示するための各種操作キーが設けられている。操作部４ｂには、例えば、左シフトキー５１、右シフトキー５２、下キー５３、上キー５４、実行キー５５、入力キー５６、表示キー５７等が設けられる。
【００３７】
左シフトキー５１、右シフトキー５２、下キー５３、上キー５４は、例えば、瞬時流量／積算流量モードの選択や、情報の表示内容や表示形式の選択等に用いられる。実行キー５５は、例えば、フローセンサ１２によるガスの流量（瞬時値および／または積算値）の計測を実行（開始）させるのに用いられる。入力キー５６は、例えば、各種情報の入力に用いることができる。表示キー５７は、例えば、モード設定や、７セグメントディスプレイ４１の表示内容や表示形式を変更するのに用いられる。
【００３８】
計測ユニット３は、図７に示す制御部（電気回路）３０を有する。制御部３０は、各種電子機器を統合制御する。制御部３０は、例えば、ＣＰＵ３１、ＲＯＭ（不揮発性記憶手段、メモリ）３２、ＥＥＰＲＯＭ（不揮発性記憶手段、メモリ）３３、ＲＡＭ（揮発性記憶手段、メモリ）３４、入出力インターフェース（Ｉ／Ｆ）３５、通信部３６、およびタイマ（時間計測手段）３７を有する。
【００３９】
ＲＯＭ３２は、設定操作や演算処理のためのアルゴリズムのほか各種制御プログラムが予め書き込まれている。ＥＥＰＲＯＭ３３は、不揮発性記憶手段の一例であり、記憶した情報の書き換えが可能である。なお、ＥＥＰＲＯＭ３３のほか、フラッシュメモリ、強誘電体メモリ（ＦｅＲＡＭ）等を用いることも可能である。
【００４０】
ＲＡＭ３４は、フローセンサ１２によって測定された流量データ等を一時的に保存する。Ｉ／Ｆ３５は、流量計１の外部機器との間で制御信号等の入出力を行なう。通信部３６は、流量計１の外部機器との間で情報の送受信を行なう。タイマ３７は、任意の基準時からの経過時間を計測する時間計測手段の一例である。
【００４１】
ＥＥＰＲＯＭ３３は、ＣＰＵ３１の制御の下、流量計１に対して取り外し可能に装着されており、フローセンサ１２で検出した瞬時流量に係る情報やタイマ３７で計測した経過時間に係る情報を記憶する。ＥＥＰＲＯＭ３３で記憶した情報は、例えばＩ／Ｆ３５や通信部３６を通じて外部機器に出力することができる。
【００４２】
ＣＰＵ３１は、ＥＥＰＲＯＭ３３に記憶させた各種情報（瞬時流量に係る情報やこの瞬時流量に対応する経過時間に係る情報等）や目標流量達成情報（後述）を、通信部３６を介して、無線通信あるいは有線通信で流量計１の外部機器に送信することができる。外部機器には、例えば、流量計１を含む流量計測システム全体を制御するシステムコントローラ等が含まれる。
【００４３】
ＣＰＵ３１は、ＲＯＭ３２内の各種制御プログラムを読み込んで、種々の情報処理や機器の制御を行なう機能を有する。具体的に、ＣＰＵ３１は、図７に示すように、流量算出部３１１、目標値設定部３１２、減算部３１３、および表示・送信制御部３１４としての機能を有する。
【００４４】
流量算出部３１１は、ユーザによる操作部４ｂへの操作に応じた入力信号を受けて、ガスの瞬時流量に係る情報および経過時間に係る情報の収集を開始する。例えば、流量計１が起動して情報収集が実行されていない状態でユーザが実行キー５１を押下すると、流量算出部３１１は、タイマ３７を作動させて、ユーザによる操作入力があった時点からの経過時間の計測を開始させるとともに、フローセンサ１２によるガスの瞬時流量の検出を開始させる。そして、流量算出部３１１は、図８および図９に例示するように、フローセンサ１２において検出されたガスの瞬時流量（Ｑ1、Ｑ2、…、ＱN-1、ＱN）と、各検出時にタイマ３７で計測された経過時間（Ｔ1、Ｔ2、…、ＴN-1、ＴN）と、を対応付けて図７に示すＥＥＰＲＯＭ３３に記憶させる。
【００４５】
フローセンサ１２における瞬時流量の検出間隔（サンプリング周期）および検出回数やタイマ３７での計測時間の周期は、流量計１の仕様や使用状況等に応じて適宜設定することができる。例えば、タイマ３７の計測周期を８００分（１３時間２０分）とし、タイマ３７がユーザによる操作入力があった時点から８００分間の時間を計測する間に、フローセンサ１２において瞬時流量を１０分間隔（サンプリング周期：１０分）で８０回検出するように設定することができる。
【００４６】
流量算出部３１１は、検出間隔ごとにフローセンサ１２によって検出される瞬時流量を、情報収集を開始した時点から現在まで積分することで積算流量を経時的に算出する。
【００４７】
目標値設定部３１２は、ユーザによる操作部４ｂへの操作に応じた入力信号を受けて、積算流量の目標値をＲＡＭ３４に記憶させることにより、積算流量の目標値を設定する。ユーザによる操作部４ｂへの操作としては、例えば、下キー５３、上キー５４または入力キー５６の押下による数値の選択操作や決定操作、実行キー５１の押下による目標値の設定確定操作等が該当する。
【００４８】
減算部３１３は、目標値設定部３１２によって設定された目標値から、流量算出部３１１で算出されている積算流量を減算していく減算処理を実行する。この減算処理の実行は、積算流量の目標値の設定が確定された後に、実行キー５１が押下されて減算処理の開始指示が入力されたときに開始される。減算処理の内容を具体的に説明する。まず、実行キー５１が押下されて減算処理の実行が開始されると、流量算出部３１１は、検出間隔ごとにフローセンサ１２によって検出される瞬時流量を、減算処理の実行が開始された時点から現在まで積分することで積算流量を経時的に算出する。減算部３１３は、目標値から積算流量を減算することで、設定された目標値に到達するまでに要する残りの流量、つまり設定目標値に対する残りの流量を算出する。
【００４９】
表示・送信制御部３１４は、減算部３１３で実行されている減算処理の結果をディスプレイ４１にリアルタイムに表示させる。
【００５０】
表示・送信制御部３１４は、操作部４ｂの操作により瞬時流量モードが設定された場合に、図１０（Ａ）に示すように、表示部４ａの瞬時流量モード表示灯４３を点灯させ、検出したガスの瞬時流量（フローセンサ１２における検出値を、配管Ｐを流通するガスの瞬時流量に変換した値）をディスプレイ４１に表示させる。
【００５１】
表示・送信制御部３１４は、操作部４ｂの操作により積算流量モードが設定された場合に、図１０（Ｂ）に示すように、表示部４ａの積算流量モード表示灯４２を点灯させ、検出したガスの瞬時流量の積算値をディスプレイ４１に表示させる。なお、瞬時流量の積算値が６桁以上となる場合、表示・送信制御部３１４は、６桁以上の上桁と５桁以下の下桁とを分けて所定時間毎に交互にディスプレイ４１に表示させることもできる。瞬時流量モードと積算流量モードの設定は、下キー５２または上キー５３を押下するたびに順次切り替えることができる。
【００５２】
表示・送信制御部３１４は、積算流量の目標値の設定が確定されて、実行キー５５が押下された場合に、図１１に示すように、減算部３１３で実行されている減算処理の結果、つまり、設定目標値に対する残りの流量を、ディスプレイ４１に表示させる。図１１に示すように、設定目標値に対する残りの流量は、ディスプレイ４１にマイナス表示される。このように、設定目標値に対する残りの流量をマイナス表示させることで、使用者は、ディスプレイ４１に表示されている値が、設定目標値に対する残りの流量であることを、一目で識別することが可能となる。
【００５３】
設定目標値に対する残りの流量がディスプレイ４１に表示されている際に、下キー５２または上キー５３を押下（表示切り替え指示）すると、設定目標値に対する残りの流量の表示を一時的に中断し、下キー５２または上キー５３が押下されるたびに、瞬時流量、積算流量、設定目標値に対する残りの流量を順次切り替え表示させることができる。これにより、使用者が所望する情報を選択して確認することが可能となる。
【００５４】
表示・送信制御部３１４は、減算処理の結果、積算流量が目標値に到達した場合に、積算流量が目標値に到達したことを示す目標流量達成情報を、通信部３６を介して外部機器に送信する。図１２を参照して、目標流量達成情報を外部機器に送信して制御する際の具体例について説明する。
【００５５】
図１２に示すシステムは、例えば、本実施形態における流量計１と、システム全体を統括制御するシステムコントローラ８０と、配管Ｐ内を流通するガスの流れを調整する制御弁９０とを有する。このシステムは、制御弁９０の上流側（紙面右側）にあるガス供給元（不図示）から供給されるガスを、流量計１の下流側（紙面左側）にあるガス搬送先（不図示）に対して搬送し、搬送したガスの流量が設定目標値に到達したときに、制御弁９０を閉弁して各種の検査を行うシステムである。各種の検査としては、例えば、封入容器（例えば、缶や菓子袋等）のリーク検査や、現象発生を確認する上で再現性の確認を要する製造ラインの原因をチェックするための検査等が該当する。
【００５６】
図１２に示すシステムの動作例を以下に説明する。まず、流量計１のＣＰＵ３１において、上述した減算処理が実行され、目標流量達成情報が通信部３６を介してシステムコントローラ８０に送信される。続いて、システムコントローラ８０のＣＰＵ８１は、流量計１から送信された目標流量達成情報を、通信部８２を介して受信すると、制御弁９０を全閉するように指示するための閉弁指示を、通信部８２を介して制御弁９０に送信する。続いて、制御弁９０のＣＰＵ９１は、システムコントローラ８０から送信された閉弁指示を、通信部９２を介して受信すると、制御弁９０を全閉する。これにより、制御弁９０とガス搬送先との間の空間を閉空間にすることができ、この閉空間の流量特性を監視することで、例えば、搬送先の封入容器のリークの有無を判定することが可能となる。
【００５７】
上述したように、本実施形態における流量計１によれば、目標値設定部３１２によって積算流量の目標値を設定させることができ、減算部３１３によって目標値から現時点における積算流量を減算していく減算処理を実行させることができ、表示・送信制御部３１４によって減算処理の結果である設定目標値に対する残りの流量をリアルタイムで表示部４ａのディスプレイ４１に表示させることができる。これにより、積算流量が目標流量に到達したことを確認させることが可能となる。
【００５８】
なお、上述した実施形態では、積算流量の目標値を、操作部４ｂから入力させているが、これに限定されない。例えば、外部機器で入力された目標値を、通信部３６を介して受信し、受信した目標値をＲＡＭ３４に記憶させることにより、積算流量の目標値を設定することとしてもよい。これにより、流量計１から離れた場所にいるシステム管理者に積算流量の目標値を入力させることが可能となる。
【００５９】
また、上述した実施形態では、積算流量の目標値の設定が確定されて、実行キー５５が押下されてから減算処理の実行を開始させているが、減算処理の実行を開始させるタイミングはこれに限定されない。例えば、積算流量の目標値の設定が確定されたときに、減算処理の実行を開始させることとしてもよいし、積算流量の目標値の設定が確定されてから所定時間経過後に、減算処理の実行を開始させることとしてもよい。
【００６０】
また、上述した実施形態における表示・送信制御部３１４は、減算処理の結果、積算流量が目標値に到達した場合に、積算流量が目標値に到達したことを示す目標流量達成情報を、通信部３６を介して外部機器に送信しているが、積算流量が目標値に到達したことを通知する方法は、これに限定されない。例えば、目標流量達成情報を、光や音響によって外部に通知する通知部（図示せず）を設けることとしてもよい。通知部の具体例としては、例えば、点滅するランプや、鳴動するブザーが該当する。これらは単独で備えることとしてもよいし、両方を備えることとしてもよい。また、ランプやブザーを配置する位置は、流量計１の筐体内に設けることとしてもよいし、流量計１の筐体外に設けることとしてもよい。
【００６１】
また、上述した実施形態においては、流量検出手段の一例として熱式流量センサを採用した例を示したが、かかる熱式流量センサに代えて、他の方式（超音波式や電磁式）の流量センサを流量検出手段の一例として採用することもできる。また、本実施形態においては、本発明を気体流量計に適用した例を示したが、液体の流量を検出する流量計に本発明を適用することもできる。なお、以上の説明において用いた「上」および「下」という語は便宜的な表現であり、必ずしも重力方向に対する方向の限定を表すものではない。
【図面の簡単な説明】
【００６２】
【図１】実施形態における流量計の斜視図である。
【図２】図１の流量計の計測部を流量計ボディ部から分離させた状態を示す斜視図である。
【図３】（Ａ）は図１の流量計の正面図であり、（Ｂ）は図１の流量計の側面図（（Ａ）の矢印Ｂ方向から見た図）であり、（Ｃ）は図１の流量計の平面図（（Ａ）の矢印Ｃ方向から見た図）である。
【図４】図３（Ｂ）の流量計のＩＶ−ＩＶ部分における断面図である。
【図５】図１の流量計の計測部に設けられたフローセンサを示す斜視図である。
【図６】図５のフローセンサをＶＩ−ＶＩ方向から見た場合の断面図である。
【図７】図１の流量計の計測ユニットに設けられた制御部の機能構成を示すブロック図である。
【図８】図１の流量計によって収集された流量−時間情報を示すマップである。
【図９】図１の流量計によって収集された流量−時間情報を示すデータテーブルである。
【図１０】図１の流量計の表示部およびこの表示部に表示された情報を示すものであって、（Ａ）は瞬時流量を表示している際の図であり、（Ｂ）は瞬時流量の積算値を表示している際の図である。
【図１１】図１の流量計の表示部およびこの表示部に表示された情報を示すものであって、設定目標値に対する残りの流量を表示している際の図である。
【図１２】本実施形態における流量計を含むシステムの概略構成を示す図である。
【符号の説明】
【００６３】
１…流量計、２…流路ユニット、３…計測ユニット、４…表示操作パネル、４ａ…表示部、４ｂ…操作部、５１〜５４…操作キー、１２…フローセンサ、３１…ＣＰＵ、３２…ＲＯＭ、３３…ＥＥＰＲＯＭ、３４…ＲＡＭ、３５…入出力インターフェース、３６…通信部、３７…タイマ、４１…デジタル表示部、４２…積算流量モード表示灯、４３…瞬時流量モード表示灯、８０…システムコントローラ、９０…制御弁、３１１…流量算出部、３１２…目標値設定部、３１３…減算部、３１４…表示・送信制御部。
【図１】
2009115809.tif 000003
【図２】
2009115809.tif 000004
【図３】
2009115809.tif 000005
【図４】
2009115809.tif 000006
【図５】
2009115809.tif 000007
【図６】
2009115809.tif 000008
【図７】
2009115809.tif 000009
【図８】
2009115809.tif 000010
【図９】
2009115809.tif 000011
【図１０】
2009115809.tif 000012
【図１１】
2009115809.tif 000013
【図１２】
2009115809.tif 000014